(57)【要約】【課題】浄水カートリッジが取付けられた幕板と前板との間のスペースを従来技術よりも効率的に利用することができる水回りキャビネットを提供する。【解決手段】本発明による水回りキャビネット(1)は、幕板(12)が設けられたシンク(8)と、幕板(12)の前方に位置し且つ開閉可能な前板(16)と、幕板(12)と前板(16)との間のスペース(18)に配置された浄水カートリッジ(2)を有する。浄水カートリッジ(2)は、それへの給水口(24a)及びそれからの出水口(24b)を有するカートリッジ側継手(24)を有する。カートリッジ側継手(24)は、浄水カートリッジ(12)がスペース(18)に配置されたときに幕板(12)に設けられた孔又は切欠きを通して幕板(12)の後方に延びる。カートリッジ側継手(24)に嵌合可能なキャビネット側継手(32)が、幕板(12)の後側に配置される。【選択図】図１
2009077924.tif 000002
【特許請求の範囲】
【請求項１】
浄水カートリッジが取付けられる水回りキャビネットであって、
幕板が設けられたシンクと、
前記幕板の前方に位置する閉位置から開いたり前記閉位置に閉じたりすることが可能な前板と、
前記幕板と前記前板との間のスペースに配置された浄水カートリッジと、を有し、
前記浄水カートリッジは、前記浄水カートリッジへの給水口及びそれからの出水口を構成するカートリッジ側継手を有し、
前記カートリッジ側継手は、前記浄水カートリッジが前記スペースに配置されたときに前記幕板に設けられた孔又は切欠を通して前記幕板の後方に延び、
前記カートリッジ側継手に嵌合可能なキャビネット側継手が、前記幕板の後側に配置されることを特徴とする水回りキャビネット。
【請求項２】
更に、嵌合状態にある前記カートリッジ側継手及び前記キャビネット側継手の下方に位置し且つ前方に向かって斜め下方に延びる水受け斜面と、
前記水受け斜面で受けた水を受入れる水受け容器と、を有することを特徴とする請求項１に記載の水回りキャビネット。
【請求項３】
前記水受け容器は、浄水カートリッジの下方に配置されることを特徴とする請求項２に記載の水回りキャビネット。
【請求項４】
前記水受け斜面と前記キャビネット側継手又は前記幕板とが一体に形成されることを特徴とする請求項２に記載の水回りキャビネット。
【発明の詳細な説明】
【技術分野】
【０００１】
本発明は、水回りキャビネットに関し、更に詳細には、浄水カートリッジが取付けられる水回りキャビネットに関する。
【背景技術】
【０００２】
シンクを有する水回りキャビネットにおいて、水道水中の不純物を除去するための浄水装置を取付けることが行われている。このような水回りキャビネットにおいて、浄水装置の浄水カートリッジが、シンクの手前側に配置された幕板と引出し又は前扉の前板との間の左右方向に延びるスペースに配置されているものが知られている（例えば、特許文献１参照）。浄水カートリッジは、水道水中の不純物を除去する機能を有する鉛吸着材、活性炭及び中空糸膜等が収容されたカートリッジ容器と、浄水カートリッジへの給水口及びそれからの出水口を有するカートリッジ側継手とを有し、カートリッジ継手は、その給水及び出水のために、浄水カートリッジの右方に配置されたキャビネット側継手に嵌合可能である。
【０００３】
【特許文献１】特開２００７−１４４３６３号公報
【発明の開示】
【発明が解決しようとする課題】
【０００４】
特許文献１に開示されている水回りキャビネットでは、浄水カートリッジが幕板と前板との間のスペースに配置されているため、浄水カートリッジが水回りキャビネットの作業スペースや収納スペースを浸食することを抑制するという利点を有している。しかしながら、カートリッジ側継手全体が、幕板と前板との間のスペースに配置されている。また、特許文献１の水回りキャビネットでは、浄水カートリッジ継手をキャビネット側継手に嵌合させるとき、浄水カートリッジを左右方向に移動させる。従って、上記スペースに、浄水カートリッジを左右方向に移動させるための空きスペースを確保しておく必要がある。このため、幕板と前板との間のスペースの有効利用の観点で、特許文献１に開示されている水回りキャビネットを改善する余地がある。例えば、カートリッジ容器内に収容される鉛吸着材、活性炭及び中空糸膜等は、それら不純物除去能力が低下したときに交換する必要がある。従って、上記スペースを有効に利用して、カートリッジ容器を大きくできれば、鉛吸着剤等を交換するまでの期間が長くなる。また、浄水ユニットによって浄化された水をアルカリ水又は酸性水にする電解ユニット等の他の機能要素を上記スペースに配置する場合、上記スペースを有効に利用して、かかる機能要素のためのスペースを広くすることができる。
【０００５】
そこで、本発明の目的は、浄水カートリッジが取付けられた幕板と前板との間のスペースを従来技術よりも効率的に利用することができる水回りキャビネットを提供することにある。
【課題を解決するための手段】
【０００６】
上記目的を達成するために、浄水カートリッジが取付けられる本発明による水回りキャビネットは、幕板が設けられたシンクと、幕板の前方に位置する閉位置から開いたり閉位置に閉じたりすることが可能な前板と、幕板と前板との間のスペースに配置された浄水カートリッジと、を有し、浄水カートリッジは、浄水カートリッジへの給水口及びそれからの出水口を構成するカートリッジ側継手を有し、カートリッジ側継手は、浄水カートリッジがスペースに配置されたときに幕板に設けられた孔又は切欠を通して幕板の後方に延び、カートリッジ側継手に嵌合可能なキャビネット側継手が、幕板の後側に配置されることを特徴としている。
【０００７】
このように構成された本発明による水回りキャビネットでは、カートリッジ側継手が幕板に設けられた孔を通して幕板の後方に延びているので、カートリッジ側継手の一部分が、幕板と前板との間のスペースを占有していない。また、カートリッジ側継手をキャビネット側継手に嵌合させる際、浄水カートリッジを幕板の孔や切欠に通すように主として前後方向に移動させるので、浄水カートリッジを取付ける際の空きスペースを上記スペース内に確保する必要がない。かくして、幕板と前板との間のスペースを従来技術よりも効率的に利用することが可能になる。
【０００８】
本発明による水回りキャビネットの実施形態において、好ましくは、更に、嵌合状態にあるカートリッジ側継手及び前記キャビネット側継手の下方に位置し、前方に向かって斜め下方に延びる水受け斜面と、水受け斜面で受けた水を受入れる水受け容器とを有する。
【０００９】
上述した水回りキャビネットでは、カートリッジ側継手をキャビネット側継手から取外したときに、水が垂れることがある。しかしながら、上記のように構成された水回りキャビネットでは、垂れた水が、カートリッジ側継手及びキャビネット側継手の下方に配置された水受け斜面によって受け止められ、前方に向かつて斜め下方に流れ、水受け容器によって受入れられる。従って、水回りキャビネット内に水が垂れることを防止することができる。
【００１０】
水受け容器を有する水回りキャビネットにおいて、好ましくは、水受け容器は、浄水カートリッジの下方に配置される。
【００１１】
このように構成された水回りキャビネットでは、浄水カートリッジから水が垂れる場合、例えば、浄水カートリッジ内のカートリッジ容器を取外す場合に垂れた水を水受け容器が受入れ、他の場所に水が垂れることを防止することができる。
【００１２】
水受け斜面を有する水回りキャビネットにおいて、好ましくは、水受け斜面とキャビネット側継手又は幕板とが一体に形成される。
【００１３】
このように構成された水回りキャビネットでは、水受け斜面と水受け容器とを別体に構成することができ、水受け容器の取付け及び取外しを容易に行うことができる。
【発明の効果】
【００１４】
以上説明したように、本発明による水回りキャビネットによれば、浄水カートリッジが取付けられた幕板と前板との間のスペースを従来技術よりも効率的に利用することができる。
【発明を実施するための最良の形態】
【００１５】
以下、図面を参照して、本発明による水回りキャビネットの実施形態を説明する。
【００１６】
先ず、本発明による水回りキャビネットの第１の実施形態を説明する。図１は、本発明の第１の実施形態による水回りキャビネットの概略的な斜視図である。図２は、図１に示す水回りキャビネットに取付けられる浄水カートリッジの概略的な斜視図である。図３は、図１の線III−IIIにおける断面図である。図４は、図３に示す幕板及び後述する水受け容器を示す斜視図である。図５は、図３に示す幕板及び水受け容器の分解斜視図である。図６は、図３に示す水受け容器を後方から見た斜視図である。
【００１７】
図１に示すように、本発明の第１の実施形態である水回りキャビネット１は、浄水カートリッジ２が取付けられるタイプのものであり、開閉可能な収納キャビネット４と、その上に配置された天板６と、天板６に組み込まれたシンク８とを有している。また、水回りキャビネット１は、シンク８の奥側に水栓（図示せず）及び浄水吐水口（図示せず）を有しているのがよい。以下、水回りキャビネットの使用者から見て、手前側を前側と称し、奥側を後側と称し、左右方向を幅方向と称する。
【００１８】
シンク８は、概略的には、それを上方から見たときに、角が丸められた矩形をなし、その周囲を構成する壁１０を有している。シンクの前壁１０ａは、天板の前端６ａから少し後方に位置している。シンク８の前壁１０ａの前側に近接して、前方から見てシンク８の前壁１０ａ全体を遮るように天板もしくは側板に固定された幕板１２が設けられている。
【００１９】
図１及び図３に示すように、収納キャビネット４は、引出し式のものであり、本実施形態では、上下方向に３段の引出し１４を有している。上段の引出し１４は、それが閉じた閉位置１４ａにあるときに幕板１２の前方に位置し且つ天板６の前端６ａと整列する前板１６を有しており、閉位置１４ａから前方に開いたり閉位置１４ａに閉じたりすることが可能である。上段の引出し１４は、その収納スペースがシンク８に浸食されるので、比較的平べったいもの又は小さいものを収容することが可能である。上段の引出し１４が閉位置１４ａにあるとき、幕板１２と前板１６との間にスペース１８が生じる。このスペース１８は、例えば、前後方向の寸法が４０〜５０ｍｍ、高さ方向の寸法が１３０〜１５０ｍｍ、幅方向の寸法が９００〜１１００ｍｍである。
【００２０】
図１〜図３に示すように、浄水カートリッジ２を含む浄水ユニット２０が、幕板１２と前板１６との間のスペース１８に配置されるように構成されている。詳細には、浄水ユニット２０は、上記スペース１８に適合した形状及び寸法を有するケース２２と、ケース２２内に配置された浄水カートリッジ２と、浄水カートリッジ２への給水口２４ａ及びそれからの出水口２４ｂを構成するカートリッジ側継手２４とを有し、浄水カートリッジ２は、３つのカートリッジ容器２６と、３つのカートリッジ容器２６が取付けられるマニホールド２８とを有している。
【００２１】
ケース２２は、横長であり、ほぼ直方体の形状を有しており、上記スペース１８の右端部に配置されている。また、３つのカートリッジ容器２６は、左右方向に並べられ、マニホールド２８は、カートリッジ容器２６の上側に配置されている。カートリッジ側継手２４は、ケース２２内の右端部に配置されている。
【００２２】
本実施形態では、３つのカートリッジ容器２６はそれぞれ、鉛吸着材、活性炭及び中空糸膜を収容し、これらのカートリッジ容器２６が直列に接続されている。即ち、浄水ユニット２０のカートリッジ容器２６、マニホールド２８及びカートリッジ側継手２４は、浄化すべき水がカートリッジ側継手２４の給水口２４ａから配管２９を通ってマニホールド２８の左端部２８ａに流入し、マニホールド２８によって３つのカートリッジ容器２６を左側から順番に流れ、マニホールド２８の右端部２８ｂからカートリッジ側継手２４の出水口２４ｂを通って流出するように構成されている。
【００２３】
カートリッジ側継手２４は、上記スペース１８に取外し可能に配置されている。また、幕板１２は、浄水ユニット２０の後方に配置された孔３０（図４参照）を有し、カートリッジ側継手２４は、カートリッジ容器２６を含む浄水ユニット２０が上記スペース１８に配置されたときに幕板１２に設けられた孔３０を通して幕板１２の後方に延びている。具体的には、カートリッジ側継手２４の給水口２４ａ及び出水口２４ｂが、管形態を有し、後方に向かって延びている。給水口２４ａと出水口２４ｂは、上下に配置されていることが好ましい。
【００２４】
水回りキャビネット１は、更に、カートリッジ側継手２４に嵌合可能なキャビネット側継手３２を幕板１２の後側に有している。詳細には、キャビネット側継手３２は、ブロックの形態をなし、カートリッジ側継手２４の管形態の給水口２４ａ及び出水口２４ｂをそれぞれ前後方向に受入れる２つの受入れ口３２ａ、３２ｂを有している。給水口２４ａが嵌合する受入れ口３２ａは、例えば、水道水の給水管（図示せず）に接続されている。また、出水口２４ｂが嵌合する受入れ口３２ｂは、例えば、浄化された水が吐出される浄水吐出口（図示せず）に水栓（図示せず）を介して接続されている。カートッジ継手２４の給水口２４ａ及び出水口２４ｂ、並びにキャビネット側継手３２の受入れ口３２ａ、３２ｂは、カートリッジ側継手２４とキャビネット継手３２を分離したときに、それらの中に入っている水が漏れることを防止するためのシール機構（図示せず）を有している。
【００２５】
浄水ユニット２０は、カートリッジ側継手２４及びキャビネット側継手３２の嵌合だけによってスペース１８内に支持されることが好ましいが、浄水ユニット２０の左端部に、浄水ユニット２０を幕板１２に取付けるための取付け具（図示せず）が設けられていてもよい。
【００２６】
図４及び図５に示すように、幕板１２の孔３０は、カートリッジ側継手２４に対応する部分から下方に延びる第１の部分３０ａと、浄水ユニット２０を越えたところで第１の部分３０ａから左方に延びる第２の部分３０ｂとを有し、更に、第１の部分３０ａから第２の部分３０ｂにわたって延びる下縁３０ｃを有している。
【００２７】
図３〜図６に示すように、水回りキャビネット１は、更に、嵌合状態にあるカートリッジ側継手２４及びキャビネット側継手３２の下方に位置し且つ前方に向かって斜めに下がる水受け斜面３４ａと、水受け斜面３４ａで受けた水を受入れる水受け容器３６とを有している。水受け容器３６は、幕板１２への取付け取外しが可能である。
【００２８】
本実施形態では、水受け斜面３４ａと水受け容器３６とが一体に形成されている。詳細には、水受け容器３６は、浄水ユニット２０の下に配置され、左右方向に細長いトレイの形態を有しており、上方に開放している。水受け容器３６は、水受け容器３６を幕板１２に取付けるために幕板１２の孔３０の下縁３０ｃに引掛けられる引掛け部３６ａを有している。また、水受け斜面３４ａを構成する傾斜板３４が、幕板１２の孔３０の第１の部分３０ａ及び第２の部分３０ｂを通り抜けるように引掛け部３６ａの上に固定されている。傾斜板３４の幅方向両端部には、傾斜板３４に垂れた水が水受け容器以外に流れないようにするための折曲げ部３４ｂが設けられている。幕板１２の孔３０の第２の部分３０ｂは、水受け容器３６を持上げて引掛け部３６ａを孔３０の下縁３０ｃから抜き取るときに引掛け部３６ａが干渉しない大きさを有している。
【００２９】
次に、本発明による水回りキャビネットの第１の実施形態の動作を説明する。
【００３０】
先ず、水受け容器３６及び浄水ユニット２０を幕板１２に取付ける。詳細には、上段の引出し１４を手前に引いて開く。水受け容器３６に取付けられた傾斜板３４を、幕板１２の孔３０の第１の部分３０ａ及び第２の部分３０ｂに通し、引掛け部３６ａを孔３０の下縁３０ｃに引掛けることにより、水受け容器３６を幕板１２に取付ける。次いで、浄水ユニット２０のカートリッジ側継手２４の給水口２４ａ及び出水口２４ｂをキャビネット側継手３２の受入れ口３２ａ、３２ｂに合わせて、浄水ユニット２０を後方に押込み、カートリッジ側継手２４とキャビネット側継手３２を嵌合させる。それにより、浄水ユニット２０を幕板１２に取付ける。次いで、上段の引出し１４を閉じる。
【００３１】
次いで、水道水を浄化して吐出する。詳細には、水栓（図示せず）を開くと、水道水が、給水管（図示せず）、キャビネット側継手３２の受入れ口３２ａ及びカートリッジ側継手２４の給水口２４ａを通って浄水ユニット２０に入り、浄水ユニット２０内の配管２９、マニホールド２８及び３つのカートリッジ容器２６内を流れて、水道水内の不純物が除去されて浄水となり、浄水がカートリッジ側継手２４の出水口２４ｂ及びキャビネット側継手３２の受入れ口３２ｂ通って、浄水吐出口（図示せず）から吐出される。
【００３２】
カートリッジ容器２６内の鉛吸着材等を交換する場合、浄水ユニット２０を手前に引抜く。このとき、水道水の供給管（図示せず）、浄水ユニット２０及び、浄水吐出口側の配管（図示せず）の水の大部分は、カートリッジ側継手２４及びキャビネット側継手３２のシール機構（図示せず）によって漏出することが防止されるが、残りの少しの水は、垂れてしまう。垂れた水は、傾斜板３４で受け止められ、傾斜板３４に沿って流れて水受け容器３６に受入れられる。次いで、カートリッジ容器２６をマニホールド２８から取外して、カートリッジ容器２６内の鉛吸着材等を交換する。浄水ユニット２０を取外さずに、カートリッジ容器２６内の鉛吸着材を交換することができればそのようにしてもよい。その場合、カートリッジ容器２６をマニホールド２８から取外したときに垂れる水は、水受け容器３６によって受入れられる。
【００３３】
このように構成された水回りキャビネット１によれば、カートリッジ側継手２４の給水口２４ａ及び出水口２４ｂが後方に向かって延びているので、浄水ユニット２０を単にキャビネット側継手３２に向かって押付けることによって、幕板１２に容易に取付けることができる。
【００３４】
また、特許文献１に記載された従来技術の水回りキャビネットでは、浄水ユニットを取付けるとき、幕板と前板との間のスペース内で、左右方向に移動させなければならなかったので、かかるスペース内に浄水ユニットを取付けるための空きスペースを確保しておく必要があった。これに対し、上述した水回りキャビネット１では、浄水ユニット２０を前後方向に移動させるだけなので、従来技術の空きスペースが必要なく、幕板１２と前板１６との間のスペース１８を有効利用することが可能になる。例えば、カートリッジ容器２６の大きさ及び／又は本数を多くして、カートリッジ容器２６内の鉛吸着材等の交換サイクルを長くすることができる。
【００３５】
次に、本発明による水回りキャビネットの第２の実施形態を説明する。本発明の第２の実施形態の水回りキャビネットは、第１の実施形態の水回りキャビネットの水受け斜面を、水受け容器とではなく、キャビネット側継手と一体に形成されていること以外、第１の水回りキャビネット１と同様の構成を有している。従って、異なっている部分だけを以下に説明する。
【００３６】
本発明の第２の実施形態である水回りキャビネット５０の概略的な斜視図は、図１と同様である。図７は、図１の線VII−VIIにおける断面図である。図８は、図７に示す幕板及び水受け容器を示す斜視図である。図９は、図７に示す幕板及び水受け容器の分解斜視図である。図１０は、図７に示す水受け容器を後方から見た斜視図である。
【００３７】
水回りキャビネット５０は、更に、カートリッジ側継手２４に嵌合可能なキャビネット側継手５２を幕板１２の後側に有している。キャビネット側継手５２は、第１の実施形態の水回りキャビネット１のキャビネット側継手３２の構成に加えて、幕板１２の孔３０の第１の部分３２ａを塞ぐように下方に延びる垂直板５３を有している。
【００３８】
図７〜図１０に示すように、水回りキャビネット５０は、更に、嵌合状態にあるカートリッジ側継手２４及びキャビネット側継手５２の下方に位置し且つ前方に向かって斜めに下がる水受け斜面５４ａと、水受け斜面５４ａで受けた水を受入れる水受け容器５６とを有している。
【００３９】
本実施形態では、水受け斜面５４ａとキャビネット側継手５２とが一体に形成されている。詳細には、水受け容器５６は、浄水ユニット２０の下に配置され、左右方向に細長いトレイの形態を有しており、上方に開放している。水受け容器５６は、水受け容器５６を幕板１２に取付けるために幕板１２の孔３０の下縁３０ｃに引掛けられる引掛け部５６ａを有している。また、水受け斜面５４ａを構成する傾斜板５４が、幕板１２の孔３０の第１の部分３０ａを通り抜けるようにキャビネット継手５２の垂直板５３の先端部に固定されている。垂直板５３及び傾斜板５４の幅方向両端部には、折曲げ部５３ａ、５４ｂが設けられている。幕板１２の孔３０の第２の部分３０ｂは、水受け容器５６を持上げて引掛け部５６ａを孔３０の下縁３０ｃから抜き取るときに引掛け部５６ａが干渉しない大きさを有している。
【００４０】
第２の実施形態の水回りキャビネット動作は、第１の実施形態の水回りキャビネットの動作と同様である。
【００４１】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００４２】
上記実施形態では、前板は、上段の引出しに設けられていたが、幕板との間にスペースを構成するように幕板の前方に設けられていれば、前扉等に設けられていてもよい。
【００４３】
上記実施形態では、水受け容器は、スペース内に配置されていたが、水受け斜面で受けた水を受入れることができれば、スペース以外の箇所に配置されてもよい。
【００４４】
上記実施形態では、浄水ユニット２０内の３つのカートリッジ容器２６を直列に接続したが、浄水ユニット内の構成は任意であり、カートリッジ容器２６の個数、形状、接続の仕方等を変更してもよい。
【００４５】
上記実施形態では、浄水ユニット２０を前後方向に移動させて幕板１２に取付けたが、幕板１２と前板１６との間のスペース１８を効率的に利用することができるようになれば、浄水ユニット２０を上下方向等に移動させて幕板１２に取付けてもよい。
【００４６】
上記実施形態では、水受け容器３６、５６を、幕板１２と前板１６との間のスペース１８に配置したけれども、傾斜面３４ａ、５４ａで受けた水を受入れることができれば、その他の箇所に配置されてもよい。
【００４７】
上記実施形態では、水受け斜面３４ａ、５４ａと水受け容器３６又はキャビネット側継手５２とが一体である場合を説明したが、水受け斜面と幕板１２とが一体であってもよい。また、水受け斜面３４ａ、５４ａと水受け容器３６、キャビネット側継手５２又は幕板１２とは、同一成形部品であってもよいし、それらを接着剤やねじで固定したり、突起で引掛けたりして一体にしてもよい。
【００４８】
上記実施形態では、カートリッジ側継手２４が幕板１２の孔３０を通っているものについて説明したが、必ずしも孔である必要はなく、幕板１２の一部に切欠を設け、その切欠部分をカートリッジ側継手１２が通るようにしてもよい。
【図面の簡単な説明】
【００４９】
【図１】本発明による水回りキャビネットの概略的な斜視図である。
【図２】図１に示す水回りキャビネットに取付けられる浄水カートリッジの概略的な斜視図である。
【図３】第１の実施形態の水回りキャビネットにおける、図１の線III−IIIにおける断面図である。
【図４】図３に示す幕板及び水受け容器を示す斜視図である。
【図５】図３に示す幕板及び水受け容器の分解斜視図である。
【図６】図３に示す水受け容器を後方から見た斜視図である。
【図７】第２の実施形態の水回りキャビネットにおける、図１の線VII−VIIにおける断面図である。
【図８】図７に示す幕板及び水受け容器を示す斜視図である。
【図９】図７に示す幕板及び水受け容器の分解斜視図である。
【図１０】図７に示す水受け容器を後方から見た斜視図である。
【符号の説明】
【００５０】
１、５０  水回りキャビネット
２  浄水カートリッジ
８  シンク
１２  幕板
１４ａ  閉位置
１６  前板
１８  スペース
２４  カートリッジ側継手
２４ａ  給水口
２４ｂ  出水口
３０  孔
３２、５２  キャビネット側継手
３４ａ、５４ａ  水受け斜面
３６、５６  水受け容器
【図１】
2009077924.tif 000003
【図２】
2009077924.tif 000004
【図３】
2009077924.tif 000005
【図４】
2009077924.tif 000006
【図５】
2009077924.tif 000007
【図６】
2009077924.tif 000008
【図７】
2009077924.tif 000009
【図８】
2009077924.tif 000010
【図９】
2009077924.tif 000011
【図１０】
2009077924.tif 000012